(57)【要約】【課題】主制御部１０１のマイクロコンピュータ１０２に負担を掛けないで不正関係の処理を行うパチンコ機を提供する。【解決手段】不正行為を検出する複数種類のセンサの信号を払出制御部２０１のマイクロコンピュータ２０２に入力して不正か否かを判断し、その信号を送信して外部に報知するようにした。また不正を判断する払出制御部２０１のマイクロコンピュータ２０２の外部への送信を一方向にして外部からの入力によるアクセスを不能としているので、パチンコ機１の不正検出の信頼度を高めることが可能となった。【選択図】図２
2009039323.tif 000002
【特許請求の範囲】
【請求項１】
不正を検出するセンサ、表示装置とスピーカーを備えたパチンコ機であって、前記センサで検出された信号は払出制御部に入力され、前記払出制御部のマイクロコンピュータで不正と判断された場合には、前記マイクロコンピュータが不正検出の信号をサブ制御部に送信し、前記不正検出の信号を受信した前記サブ制御部は少なくとも不正に関する情報を前記表示装置またはスピーカーで報知することを特徴とするパチンコ機。
【請求項２】
不正を検出するセンサ、表示装置とスピーカーを備えたパチンコ機であって、前記センサで検出された信号は払出制御部に入力され、前記払出制御部のマイクロコンピュータで不正と判断された場合には、前記マイクロコンピュータが不正検出の信号をサブ制御部及び外部端子部に送信し、前記不正検出の信号を受信した前記サブ制御部は少なくとも不正に関する情報を前記表示装置またはスピーカーで報知し、前記外部端子部は、遊技機情報管理装置に不正検出の信号をフォトカプラにより一方向に送信することを特徴とするパチンコ機。
【請求項３】
前記センサが、少なくとも扉開放センサ、電波検知センサ、磁気検知センサ、振動センサのいずれか一つを含むことを特徴とする請求項１又は２のいずれかに記載のパチンコ機。
【発明の詳細な説明】
【技術分野】
【０００１】
本発明は、パチンコ機の不正検出のセンサの入力手段とその処理に関する。
【背景技術】
【０００２】
従来のパチンコ機では、電波を発信して不正に出玉を得る、所謂「電波ゴト」による不正を防止するため高周波用の検出コイルの信号を主制御部のマイクロコンピュータのポートに入力して、不正であると判別された場合には、主制御部がサブ制御部に報知させるものが知られている（例えば特許文献１）。また、通常は、主制御部とサブ制御部の通信は、主制御部からサブ制御部への一方向のみであるが、サブ制御部で不正を検出した場合には、主制御部にその信号が送られ、主制御部が、その信号に応じて不正の報知を行うことが知られている（例えば特許文献２）。
【特許文献１】特開２００２−２３９１６９号公報
【特許文献２】特開２００１−２３９０４４号公報
【発明の開示】
【発明が解決しようとする課題】
【０００３】
しかし、近年不正行為が多様化して、不正行為を検出する複数種類のセンサを具備する必要があり、主制御部への複数種類のセンサの入力ポート数の不足の問題、入力された信号の特性を解析して不正の検出の判断を行うためのプログラムが必要であり、そのために現在でも不足気味のプログラム容量の問題や、割込処理等の処理が増加することによる主制御部のマイクロコンピュータへの負担の問題等が生じている。
【０００４】
本発明の目的は、上記問題点に鑑みて、不正行為を検出する複数種類のセンサの信号を払出制御部のマイクロコンピュータに入力して不正か否かを判断させ、主制御部のマイクロコンピュータを経由することがなく、主制御部のマイクロコンピュータに負担を掛けないで不正関係の処理を行うパチンコ機を提供することにある。
【課題を解決するための手段】
【０００５】
請求項１記載のパチンコ機は、不正を検出するセンサ、表示装置とスピーカーを備えたものであって、前記センサで検出された信号は払出制御部に入力され、前記払出制御部のマイクロコンピュータで不正と判断された場合には、前記マイクロコンピュータが不正検出の信号をサブ制御部に送信し、前記不正検出の信号を受信した前記サブ制御部は少なくとも不正に関する情報を前記表示装置またはスピーカーで報知することを特徴とする。
【０００６】
請求項１記載の発明によれば、不正を検出するセンサで検出された信号は払出制御部に入力され、払出制御部のマイクロコンピュータで不正か否かを判断される。不正と判断された場合には、払出制御部のマイクロコンピュータが不正検出の信号をサブ制御部に送信し、不正検出の信号を受信したサブ制御部は少なくとも不正に関する情報を前記表示装置またはスピーカーで報知する。そのため主制御部のマイクロコンピュータに、不正を検出し、報知するためのハードウェア上の制約やプログラム容量の制約が軽減される効果と作動の負担が掛からない効果を奏する。
【０００７】
請求項２記載のパチンコ機は、不正を検出するセンサ、表示装置とスピーカーを備えたものであって、前記センサで検出された信号は払出制御部に入力され、前記払出制御部のマイクロコンピュータで不正と判断された場合には、前記マイクロコンピュータが不正検出の信号をサブ制御部及び外部端子部に送信し、前記不正検出の信号を受信した前記サブ制御部は少なくとも不正に関する情報を前記表示装置またはスピーカーで報知し、前記外部端子部は、遊技機情報管理装置に不正検出の信号をフォトカプラにより一方向に送信することを特徴とする。
【０００８】
請求項２記載の発明によれば、不正を検出するセンサで検出された信号は払出制御部に入力され、払出制御部のマイクロコンピュータで不正か否かを判断される。不正と判断された場合には、払出制御部のマイクロコンピュータが不正検出の信号をサブ制御部及び外部端子部に送信し、不正検出の信号を受信したサブ制御部は少なくとも不正に関する情報を前記表示装置またはスピーカーで報知するので、主制御部のマイクロコンピュータに、不正を検出し、報知するためのハードウェア上の制約やプログラム容量の制約が軽減される効果と作動の負担が掛からない効果を奏する。また払出制御部のマイクロコンピュータは不正検出の信号を外部端子部にも送信し、外部端子部は、遊技機情報管理装置に不正検出の信号をフォトカプラにより一方向に送信するので、不正検出の管理を遊技機情報管理装置いわゆるホールコンピュータで集中的に行うことが可能となる。更に外部端子部の信号の送信は一方向であり、不正を判定する払出制御部のマイクロコンピュータに外部からの入力によるアクセスを不能としているので、パチンコ機の不正検出の信頼度を高める効果を奏する。
【０００９】
請求項３のパチンコ機は、請求項１又は２のいずれかに記載の不正を検出するセンサが、少なくとも扉開放センサ、電波検知センサ、磁気検知センサ、振動センサのいずれか一つを含むことを特徴とする。
【００１０】
請求項３記載の発明によれば、不正を検出するセンサが、少なくとも扉開放センサ、電波検知センサ、磁気検知センサ、振動センサのいずれか一つを含むため、多様な不正に対応することができる。
【発明の効果】
【００１１】
不正行為を検出する複数種類のセンサの信号を払出制御部のマイクロコンピュータに入力して不正か否かを判断し、その信号を送信して外部に報知するようにしたため、主制御部のマイクロコンピュータのハードウェア的な問題やソフトウェア的な問題を解決し、主制御部のマイクロコンピュータの負担を軽減することが可能となった。また不正を判断する払出制御部のマイクロコンピュータの外部への送信を一方向にして外部からの入力による払出制御部のマイクロコンピュータへのアクセスを不能としているので、パチンコ機の不正検出の信頼度を高めることが可能となった。
【発明を実施するための最良の形態】
【００１２】
以下、本発明の実施形態について説明する。
【００１３】
図１は、本発明を適用するパチンコ機１であり、遊技枠１０に本体１１を開扉可能に支持している。本体１１の前面上部には、丸窓１２にガラス１３を嵌めたフロント扉１４を有し、その内方に遊技盤２を備える。本体１１の前面下部には、貸球及び賞球を受止める上皿３１、内方で溢れた球を受止める下皿３２、遊技盤２に球を打出す発射ハンドル４、効果音や不正行為の種類に応じて出音する左右スピーカー５１、５２を備える。上皿３１には、遊技中に遊技者操作を演出に関与させてミニゲーム的な遊技者参加型演出を実現する左・中・右ボタン３Ｌ、３Ｃ、３Ｒから成る遊技者操作スイッチ３０を備える。３３、３４は凸状のスイッチ間セパレータである。フロント扉１４には、装飾や各種状態表示に用いる上部電飾ランプ６１〜６４と右部電飾ランプ６５〜６９を備える。これらの電飾ランプは、払出制御部のマイクロコンピュータが不正検出の信号をサブ制御部に送信し、不正行為の信号を受けた際には、表示装置である演出装置７０とともに発光色の変更や発光パターンの変更で表示態様を変化させて、不正行為を報知する。
【００１４】
遊技盤２には、次の１）〜６）の遊技部品と不正を検出するセンサ部品７）を備える。
１）センターユニット７
このユニット７は、飾り枠７１内に、特定の入賞口である始動口８１、８２への始動入賞を契機に取得する内部抽選役たる大当りの抽選用乱数に基づく当否結果を、上段図柄ＤＡ、中段図柄ＤＢ、下段図柄ＤＣの各演出図柄の変動を伴う所定の導出演出を経て導出させる演出装置７０を具備する。演出装置７０は、払出制御部のマイクロコンピュータから不正行為の信号を受けた際には、演出表示上の一部又は全部に不正行為のあった旨の表示、例えば「扉開放」「電波検出」「磁気検出」「振動検出」等の表示を行って不正を報知する。７１１はワープルート球入口、７１２はワープルートから入球した球が揺動する球ステージ、７１３はステージ上の所定の位置に来た球が有利な条件で遊技盤上に落ちる球出口である。
【００１５】
２）上始動口８１、下始動口８２
上始動口８１への入球による始動入賞一個につき例えば３個の賞球を、下始動口８２への入球による始動入賞一個につき例えば４個の賞球を各払出すと共に、例えば４個の保留記憶の上限内で何れかの始動入賞一個につき、例えば０〜８３９の範囲内で高速更新する大当り抽選用乱数を一つ取得し、後記主制御部ＭＣのＲＡＭに記憶する。通常時、大当りとなるのは取得した乱数が３種類の当選数値何れかに一致する場合であり、当選確率は３／８４０＝１／２８０である。初回当選を条件に突入し得る確率変動遊技（以下、確変という）時は当選数値が１０倍に増え、当選確率は１／２８となる。
【００１６】
下始動口８２は、常時は上始動口８１により入球不可の状態にあり、普通電動役物に係る電動チューリップ８２０の花弁８ａ、８ｂが開かれることにより入球可能となる。尚、風営法関連法規上、役物とは入賞を容易にするための特別の装置をいい（風営法施行規則第７条ぱちんこ遊技機第五）、普通電動役物は大入賞口以外の入賞口の入口を拡大等するものであり、大入賞口の入口を拡大等する特別電動役物と区別される概念である。
【００１７】
３）特別電動役物に係る大入賞口９
大当り導出後の大当り遊技時、前方を覆う球受部材９０を手前に倒して大入賞口９を開放する。この開放動作は、当り種別に応じたラウンド数について繰り返される。入賞一個につき例えば１４個の賞球を払出し、最大例えば２８秒の１ラウンドの開放毎に、最大例えば９個の入賞を許容する。
【００１８】
４）普通図柄の変動契機となるスルーゲートＧＴ
スルーゲートＧＴへの球通過により、例えば０〜２５１の範囲内で高速更新する普通図柄抽選用乱数を取得し、主制御部のマイクロコンピュータのＲＡＭに記憶する。普通図柄抽選の当選確率は、大当り遊技の終了後、例えば５０回分の大当りの当否導出について付帯させる時間短縮遊技（以下、時短という）時は例えば２５１／２５２、時短時でない通常時は例えば３／２５２である。所定時間例えば０．５秒にわたる普通図柄の変動後、その当選が導出された時は、電動チューリップ８２０の花弁８ａ、８ｂを所定態様で開放させる。例えば、時短時は１．２秒の開放を１秒のインターバルを挟んで３回繰り返し、通常時は０．２秒の開放を１回だけする。
【００１９】
５）表示器ボード８０
演出装置７０における画像演出部７Ａでの演出図柄ＤＡ、ＤＢ、ＤＣの変動及び確定停止表示とリンクして風営法関連法規でいう特別図柄を変動及び停止させる７セグメントＬＥＤから成る特別図柄表示装置ＳＤ、大当り抽選用乱数の保留記憶数（以下、特別図柄保留記憶数という）を消灯、点灯、点滅の組合せで表示させる特別図柄保留記憶数表示器Ｈ１、Ｈ２、緑ランプＧＬと赤ランプＲＬの交互点灯により普通図柄を変動させ当選時は緑ランプＧＬで外れ時は赤ランプＲＬで各点灯を停止させる普通図柄表示装置ＮＤ、普通図柄抽選用乱数の保留記憶数を消灯、点灯、点滅の組合せで表示させる普通図柄保留記憶数表示器ｈ１、ｈ２、大当りの上限ラウンド数を点灯により表示させる複数のラウンド表示器ＲＥを備える。
【００２０】
６）その他
入賞１個につき所定数例えば１３個の賞球を払出す一般入賞口２３〜２６、風車２７、略円形の遊技領域２０を区画し且つ発射ハンドル４により打出す球を導くレール２１、球戻り防止片２２、入賞を逃した球を排出するアウト口２９を備える。図示は省略したが遊技領域２０には独特のゲージに従い、多数の遊技釘が打たれている。
【００２１】
７）不正を検出するセンサ部品
本発明で使用される不正を検出するセンサ部品として、扉開放センサ１１４、電波検知センサ１１５、磁気検知センサ１１６、振動センサ１１７が具備されている（図２参照）。
扉開放センサ１１４は、フロント扉１４を開放して不正を行う不正行為を検出するものであり、バネの伸縮を利用した接触式のスイッチから構成されている。本センサは明示しないが本体１１の上部に取り付けられ、フロント扉１４が閉じられた状態では、スイッチの接点がバネが縮む側に押され、接点が開放されたＯＦＦ状態となるが、フロント扉１４開放されるとスイッチの接点がバネが伸びる側に押され、接点が接触して開放センサがＯＮ状態となって、開放の有無を検出するものである。
【００２２】
電波検知センサ１１５は、高周波電波により、非接触の高周波発信型の貫通型近接スイッチを誤動作させる不正行為を検出するものであり、高周波電波を検出するコイルからなり、高周波電波による誘導起電力を検出するセンサである。本願では、明示しないがこのセンサは非接触の高周波発信型の貫通型近接スイッチであるスルーゲートＧＴの部分に取り付けられている。
【００２３】
磁気検知センサ１１６は、磁石により鉄製の球を始動口８１、８２、大入賞口９、一般入賞口２３〜２６等に導くいわゆる磁石ゴトを検出するものであり、ホール素子を用いて磁場を検出し電圧に変換している。本願では、明示しないがこのセンサは、上始動口８１の部分に取り付けられている。なお、磁気検知センサ１１６として磁気抵抗効果型の素子を使用して、その電圧変化を検知しても良いし、リードスイッチのような磁気を検知して接点がＯＮとなるようなものであっても良い。
【００２４】
振動センサ１１７は、遊技者がパチンコ機を揺すったり、叩いたりする不正行為を検出するものであり、導体とセンサとの変位を静電容量の変化で検出するものである。本願のパチンコ機１は、遊技者に左・中・右ボタン３Ｌ、３Ｃ、３Ｒを選択的に押させたり、連打させたりする遊技者参加型演出のあるもののため、このセンサは明示しないが、遊技者操作スイッチ３０が取り付けられている上皿３１と分離したフロント扉１４の裏に導体を取り付け、センサを本体１１に取り付けて、その変位を検出することで、フロント扉１４を叩く行為の振動を優先的に検出している。
【００２５】
図２は、本発明の制御ブロック図である。主制御部１０１はチップ内にＲＯＭとＲＡＭを内蔵した８ビットマイクロコンピュータ１０２とセンサからの信号を入力する入力ポート１０３と出力ポート１０４から構成されている。主制御部１０１のマイクロコンピュータ１０２のＲＯＭには、大当り抽選処理等の遊技の主制御を担う遊技プログラムが格納されており、マイクロコンピュータ１０２のＲＡＭはそのワーク領域として取得乱数の一時保存やフラグ変数の保存場所として使用される。主制御部１０１の入力ポート１０３へのセンサ入力は、上始動口入球センサ１０５、下始動口入球センサ１０６、スルーゲートＧＴ入球センサ１０７、大入賞口入球センサ１０８、一般入賞口入球センサ１０９等である。主制御部１０１のマイクロコンピュータ１０２はＲＯＭに記憶された遊技プログラムに従い、入球センサに対する処理を実行し、出力ポート１０４から信号を出力する。出力ポート１０４からの信号を受けて、大入賞口ソレノイド１１０、普通電動役物ソレノイド１１１、特別図柄表示装置１１２、普通図柄表示装置１１３の作動が制御される。また出力ポート１０４からの信号は、サブ制御部１３０、外部端子部１４０、払出制御部２０１に送られ、サブ制御部１３０では、送信されたコマンドに対応する演出表示を決定して、表示装置７０、スピーカー５１、５２、電飾ランプ６１〜６９の作動が整合するように制御する。また主制御部１０１のマイクロコンピュータ１０２は外部端子部１４０に、大当中である旨の信号、始動口の入賞個数、スルーゲートＧＴの通過数、特別図柄の変動回数、普通図柄の変動回数、賞球数等の信号を送信し、払出制御部２０１には、払い出すべき賞球数のコマンドを送信する。
【００２６】
払出制御部２０１はチップ内にＲＯＭとＲＡＭを内蔵した８ビットマイクロコンピュータ２０２とセンサからの信号を入力する入力ポート２０３と出力ポート２０４から構成されている。払出制御部２０１のマイクロコンピュータ２０２のＲＯＭには、不正を検出するセンサの入力信号を判断し、不正と判断された場合にはサブ制御部と外部端子部に送信するプログラムと払出処理に係わるプログラムが格納されており、マイクロコンピュータのＲＡＭはそのワーク領域とフラグ変数等の保存場所として使用される。
【００２７】
払出制御部２０１の入力ポート２０３に、不正を検出するセンサ入力である扉開放センサ１１４、電波検知センサ１１５、磁気検知センサ１１６、振動センサ１１７の信号が全て、入力されるようになっている。また入力ポート２０３には、主制御部１０１からの払い出すべき賞球数のコマンド信号と賞球払出装置の払出検出センサ１１８の信号が入力される。払出制御部２０１のマイクロコンピュータ２０２はＲＯＭに記憶されたプログラムに従い、入力ポート２０３からの信号に対する処理を実行し、出力ポート２０４から信号を出力する。
【００２８】
払出制御部２０１の出力ポート２０４からの信号は払出モータ１１９、発射制御部１２０、サブ制御部１３０、外部端子部１４０に送信される。サブ制御部１３０と外部端子部１４０には、不正と判断された場合に不正の種類に応じた信号が送信される。不正の種類の信号を受信したサブ制御部１３０は、表示装置７０で演出を行っているか否かをチェックして、演出中であれば、演出表示画面上の一部又は全部に不正行為のあった旨の表示、例えば「扉開放」「電波検出」「磁気検出」「振動検出」等の表示を行って不正を報知し、演出中でなければ、演出表示画面上の全部に不正行為のあった旨の表示を行う。また同時にスピーカー５１、５２による「扉開放」「電波検出」「磁気検出」「振動検出」等の音声報知やアラーム音、電飾ランプ６１〜６９の発光色の変更や発光パターンの変更で表示態様を変化させて、不正行為を報知する。
【００２９】
図３に、不正検出センサ１１４〜１１７、払出制御部２０１、サブ制御部１３０、外部端子部１４０の不正信号に関わる処理フローについて示す。不正検出センサ１１４〜１１７の入力処理（Ｓ１）はチャタリングを防止して波形整形を行うシュミットトリガー回路等を用いて行い、入力をうけた払出制御部２０１のマイクロコンピュータ２０２により不正判定処理がされ（Ｓ２）、不正判定のコマンドをサブ制御部１３０と外部端子部１４０に送信する。サブ制御部１３０では、不正判定のコマンドを受けて、サブ制御ＣＰＵ３０２が、表示装置７０、スピーカー５１、５２、電飾ランプ６１〜６９に不正報知処理を行わせる（Ｓ３）。同時に一方向の送信の外部端子部１４０に送られた不正判定のコマンドは、遊技機情報管理装置１５０に送られる。
【００３０】
図４は、払出制御部２０１のマイクロコンピュータ２０２で行われる扉開放の不正判定処理のフロー図である。払出制御部２０１のマイクロコンピュータ２０２は、例えば４ｍｓｅｃの割り込み制御により扉開放の不正判定処理を状態が変化したか否かにより行う。まず状態アドレスをセットして（Ｓ１１０）、状態データを０（扉閉）にセットする（Ｓ１１１）。入力ポート２０３の扉開放センサ１１４の入力信号を取り込み（Ｓ１１２）、センサ入力ＯＮ（扉開）であれば、状態データを１（扉開）にセットしてＳ１１４に進む。センサ入力ＯＮ（扉開）でなければ、そのままＳ１１４に進む。Ｓ１１４では、状態データがセットされた状態アドレスと同じであれば、リターンに抜けて、状態の変化がない場合は、処理しないようにしている。Ｓ１１４では、状態データがセットされた状態アドレスと異なれば、状態アドレスに状態データをセーブして（Ｓ１１５）、不正未検出コマンドをセットする（Ｓ１１６）。Ｓ１１７で状態データが０（扉閉）の場合には、Ｓ１１９で不正未検出コマンドが出力処理され、Ｓ１１７で状態データが０（扉閉）でない場合には、扉開への状態の変化であるので、不正検出コマンドをセットして（Ｓ１１８）、不正検出コマンドが出力処理され（Ｓ１１９）て、リターンに抜ける。
【００３１】
図４の不正判定処理は、扉の状態データの変化のみを検出して、扉開状態から扉閉状態になったときには、不正未検出コマンドがセットされ、扉閉状態から扉開状態になったときには、不正検出コマンドがセットされて、サブ制御部１３０と外部端子部１４０にコマンド出力処理がされる。このコマンド出力を受けて、後述するような、表示装置７０や電飾ランプ６１〜６９による表示や、スピーカー５１、５２による音声報知がなされる。
【００３２】
図５は、払出制御部２０１のマイクロコンピュータ２０２で行われる電波検知センサ１１５、磁気検知センサ１１６、振動センサ１１７の不正判定処理のフロー図である。払出制御部２０１のマイクロコンピュータ２０２は、例えば４ｍｓｅｃの割り込み制御により電波検知センサ１１５、磁気検知センサ１１６、振動センサ１１７の不正判定処理を検出した回数が所定の時間内に所定の回数を超えたか否かにより行う。これらのセンサは、感度が低く、誤信号も多いため、状態変化の検出では、誤作動が多いためである。まずセンサカウンタ値を読み込み（Ｓ２１０）、センサカウンタ値が０から所定時間経過したかの判断を行う（Ｓ２１１）。所定時間経過であれば、センサカウンタ値をクリアする（Ｓ２１３）。所定時間経過前であれば、不正検知フラグがセットされているかの判断を行い、すでにセットされていれば、センサカウンタ値をクリアする（Ｓ２１３）。これらにより、所定時間経過した場合と、すでに不正検知フラグがセットされている場合のセンサカウンタ値を０にセットすることができる。
所定時間経過していない場合でかつ不正検知フラグがセットされていない場合で、センサ入力がＯＮの場合にはセンサカウンタ値を＋１増加させる。センサ入力がＯＮでない場合にはセンサカウンタ値はＳ２１０のままで、リターンに抜ける。センサカウンタ値は所定値Ｎかの判断がされ（Ｓ２１６）、所定値Ｎに達していれば、不正検知フラグセットを行う（Ｓ２１８）。センサカウンタ値が所定値Ｎに達していなければ、センサカウンタ値を記憶して（Ｓ２１７）、リターンに抜ける。Ｓ２１８で不正検知フラグセットされると、不正検知コマンド出力処理がされ（Ｓ２１９）、センサカウンタ値をクリアして（Ｓ２２０）、リターンに抜ける。
【００３３】
本願発明では、例えば、所定時間を２０ｓｅｃとするとその間の割り込み回数は５０００回であり、その１／１０の５００回センサ入力がＯＮになり、センサカウント値が所定値Ｎ（Ｎ＝５００）達した場合は不正検知フラグをセットして、不正検知コマンドをサブ制御部１３０と外部端子部１４０に出力するようにしている。またこれらの所定時間と所定値Ｎは遊技場の環境や作動状況に応じて、適宜変更可能である。
【００３４】
図６にはサブ制御部１３０のブロック図を示す。サブ制御ＣＰＵ３０２は、サブ制御用ＲＯＭ３０３からのプログラムで動作しており、通常主制御部１０１から演出表示のコマンドの番号が入力ポート３０１に入力されると、その演出表示に用いる画像データの作成をグラフィックＬＳＩ３０５に指示する。グラフィックＬＳＩ３０５は、サブ制御ＣＰＵ３０２の指示したグラフィックデータをＣＧ−ＲＯＭ３０６から読み出し、ＳＤＲＡＭ３０７上にスプライト処理等の演算により画像データを作成し、ＳＤＲＡＭ３０７の一部のフレームバッファーメモリ領域から液晶表示機７０に画像フレームを送信する。また演出表示のコマンドの番号に応じたスピーカー５１、５２への音声出力と電飾ランプ６１〜６９への出力が、サブ制御ＣＰＵ３０２の出力ポート３０４から送信される。
【００３５】
本発明では、サブ制御部１３０の入力ポート３０１に払出制御部２０１から不正検知コマンドが入力されると、サブ制御ＣＰＵ３０２は、演出中であるか否かを判断する。演出中でなければ、サブ制御ＣＰＵ３０２は、不正検知コマンドに対応する表示すべき画像として、グラフィックＬＳＩ３０５に「扉開放」「電波検出」「磁気検出」「振動検出」等の文字キャラクタをＣＧ−ＲＯＭ３０６から読み出してＳＤＲＡＭ３０７でフレームを作成して、液晶表示機７０の全部に表示するように制御を行う。演出中であると判断された場合には、サブ制御ＣＰＵ３０２は、不正検知コマンドに対応する表示すべき画像として、グラフィックＬＳＩ３０５に現在の演出画像に「扉開放」「電波検出」「磁気検出」「振動検出」等の文字キャラクタを追加してＣＧ−ＲＯＭ３０６から読み出し、ＳＤＲＡＭ３０７上で、スプライト処理や縮小処理等を行って、フレームを作成し、液晶表示機７０の画面の一部に「扉開放」「電波検出」「磁気検出」「振動検出」等の不正である旨の表示をするように制御を行う。また同時にスピーカー５１、５２による「扉開放」「電波検出」「磁気検出」「振動検出」等の音声報知やアラーム音、電飾ランプ６１〜６９の発光色の変更や発光パターンの変更で表示態様を変化させて、不正行為を報知する。
【００３６】
図７は、外部端子部１４０の電気ブロック図である。外部端子部１４０は不正検出入力ポート４０１、フォトカプラ４０２、不正検出出力ポート４０３から構成され、フォトカプラ４０２により不正検出入力ポート４０１と不正検出出力ポート４０３が電気的に絶縁されている。外部端子部１４０の払出制御部２０１から不正検知コマンドが入力される不正検出入力ポート４０１には、不正検知の場合には反転入力である０が入力され、フォトカプラ４０２の内部のＬＥＤが発光し、出力側の光電素子の電荷によりＭＯＳＦＥＴのゲート電圧が設定値を超え、導通状態に変化して、不正検出出力ポート４０３に接続される遊技機情報管理装置１５０の不正検出信号入力がＯＮ状態に変化する。従って、外部端子部１４０の信号の送信は一方向であり、遊技機情報管理装置１５０等への外部端子出力ポート４０３からの入力により不正を判断する払出制御部２０１のマイクロコンピュータ２０２にアクセスは不可能であるので、パチンコ機１の不正検出の信頼度を高める効果を奏する。
【００３７】
本実施例では、不正を検出するセンサを全て具備していたが、遊技場の実態等に合わせて、少なくとも扉開放センサ１１４、電波検知センサ１１５、磁気検知センサ１１６、振動センサ１１７のいずれか一つを含むものであっても良い。また不正を検出するセンサを全て具備しているパチンコ機１であっても、払出制御部２０１の不正検出信号の入力ポート２０３による切り替えや、出力ポート２０４による切り替え、外部端子部１４０の入力ポート４０１による切り替え等で、適宜不正を検出するセンサの種類や出力する不正信号の種類を選択できるようにしても良い。
【００３８】
本実施例では、不正を検出するセンサで検出された信号は払出制御部２０１に入力され、払出制御部２０１のマイクロコンピュータ２０２で不正と判断された場合には、マイクロコンピュータ２０２が不正検出の信号をサブ制御部１３０及び外部端子部１４０に送信し、不正検出の信号を受信したサブ制御部１３０は不正に関する情報を表示装置７０またはスピーカー５１、５２で報知し、また外部端子部１４０は、遊技機情報管理装置１５０に不正検出の信号をフォトカプラ４０２により一方向に送信するようになっていたが、不正と判断された場合には、マイクロコンピュータ２０２が不正検出の信号をサブ制御部１３０にのみ送信しても良い。本願発明は不正行為を検出する複数種類のセンサ１１４〜１１７の信号を払出制御部２０１のマイクロコンピュータ２０２に入力し、不正か否かを判断し、その信号を送信して外部に報知するようにして、主制御部１０１のマイクロコンピュータ１０２のハードウェア的な問題やソフトウェア的な問題を解決し、主制御部１０１のマイクロコンピュータ１０２の負担を軽減することであり、このようにしても本目的を達成できるからである。また不正手段の報知は、本実施例では、サブ制御部１３０からのコマンドに基づいて表示装置７０、スピーカー５１、５２、電飾ランプ６１〜６９で報知を行うようになっていたが、視覚または聴覚に訴える方法であれば問題はなく、表示装置７０またはスピーカー５１、５２での報知のどちらかでも良い。なお本発明はこれらに限定されるものではなく、特許請求の範囲の趣旨を逸脱しない範囲において、当業者の技術常識に基づいて適宜変更が可能である。
【００３９】
本実施例では、不正を検出するセンサで検出された信号は払出制御部２０１に入力され、払出制御部２０１のマイクロコンピュータ２０２で不正と判断された場合には、マイクロコンピュータ２０２が不正検出の信号をサブ制御部１３０及び外部端子部１４０に送信しているが、別の実施形態として、図８に示すように不正を検出するセンサで検出された信号をサブ制御部１３０に入力し、サブ制御部１３０のＣＰＵ３０２で不正と判断するようにしても良い。この場合には直接、表示装置７０、スピーカー５１、５２、電飾ランプ６１〜６９で報知を行うことが可能であり、主制御部１０１のマイクロコンピュータ１０２や払出制御部２０１のマイクロコンピュータ２０２に全く負担を掛けることがない効果を奏する。またサブ制御部１３０から不正検出の信号を外部端子部１４０に送信する際には、直接送信しても良いし、払出制御部２０１または主制御部１０１に不正検出の信号をバイパスし、そこを経由して送信しても良い。後者の場合には、主制御部１０１のマイクロコンピュータ１０２や払出制御部２０１のマイクロコンピュータ２０２がデータを取り込んで利用することも可能である。図８では、サブ制御部１３０から不正検出の信号を払出制御部２０１のマイクロコンピュータ２０２を経由しないで、単に払出制御部２０１の入力ポート２０３と出力ポート２０４をバイパスして外部端子部１４０に送信する一例を示したが、変更は適宜可能である。
【図面の簡単な説明】
【００４０】
【図１】本発明のパチンコ遊技機の正面図。
【図２】本発明の制御ブロック図。
【図３】不正検出センサ、払出制御部、サブ制御部、外部端子部の不正信号に関わる処理フロー図。
【図４】払出制御部のマイクロコンピュータで行われる扉開放の不正判定処理のフロー図。
【図５】払出制御部のマイクロコンピュータで行われる電波検知センサ、磁気検知センサ、振動センサの不正判定処理のフロー図。
【図６】サブ制御部のブロック図。
【図７】外部端子部の電気ブロック図。
【図８】別の実施形態の制御ブロック図。
【符号の説明】
【００４１】
１；パチンコ機
１１；本体
１４；フロント扉
５１；左スピーカー 
５２；右スピーカー
６１〜６４；上部電飾ランプ
６５〜６９；右部電飾ランプ
７０；表示装置（演出装置、液晶表示機）
８１；上始動口
１０１；主制御部
１０２；主制御部マイクロコンピュータ
１１４；扉開放センサ
１１５；電波検知センサ
１１６；磁気検知センサ
１１７；振動センサ
１３０；サブ制御部
１４０；外部端子部
１５０；遊技機情報管理装置
２０１；払出制御部
２０２；払出制御部マイクロコンピュータ
【図１】
2009039323.tif 000003
【図２】
2009039323.tif 000004
【図３】
2009039323.tif 000005
【図４】
2009039323.tif 000006
【図５】
2009039323.tif 000007
【図６】
2009039323.tif 000008
【図７】
2009039323.tif 000009
【図８】
2009039323.tif 000010